(57)【特許請求の範囲】
【請求項１】
特定の暗証情報を保有して押圧され、かつ上方に付勢可能な一または複数のロックピンと、該ロックピンを挿通可能な一または複数の通孔を形成したロックピン押さえと、前記ロックピンと係脱可能な一または複数の鉤孔を有するロックプレ−トと、前記ロックピンを貫挿可能な一または複数の貫通孔を有し、かつ前記ロックプレ−トと同方向に移動可能なリセットブロックとを設け、前記ロックピンに前記鉤孔と係脱可能な係合部と、前記通孔の口縁部に係合可能な係止片とを設け、前記ロックプレ−トを操作レバ−の作動に連係して進退可能に設け、前記係合部と前記鉤孔との係合時、ロックプレ−トの移動を阻止して施錠可能にし、前記係合部と前記鉤孔との係合解除時、ロックプレ−トを移動して解錠可能にしたボタン錠において、前記リセットブロックの貫通孔に臨ませて係合凸部を突設し、該係合凸部にロックピンの係止片のテーパ面を係合可能に設け、暗証入力後ロックピンを押圧する解錠時、前記係止片のテーパ面と係合凸部とを係合し、前記ロックピンを係合凸部の突出方向に斜状に偏移可能に設け、前記係止片のテーパ面と係合凸部との係合解除後、前記ロックピンを起立偏移し、該起立偏移後、ロックピンの係止片の上面を前記係合凸部の下面に係合可能にしたことを特徴とするボタン錠。
【請求項２】
前記ロックプレ−トの鉤孔に、ロックプレ−トの移動方向に形成したアンロック溝と、該アンロック溝と直交方向に形成したロック溝と、を設けた請求項１記載のボタン錠。
【請求項３】
前記ロックピンの下端部を挿通する錠カバ−の凹孔に、ロックピンの斜状偏移方向に長孔を形成した請求項１記載のボタン錠。
【請求項４】
前記ロックピンの上側軸部をテ−パ状に形成した請求項１または請求項３記載のボタン錠。
【請求項５】
前記ロックピンの中間部に前記係止片と第１および第２係合部とを上下位置に設け、前記第１および第２係合部を互いに１８０°位相をずらせて配置し、前記ロックピンの暗証入力時、第１係合部を鉤孔の直上に配置し、第２係合部を鉤孔のロック溝に係合可能またはアンロック溝に係入させて配置し、前記ロックピンを押圧する解錠時、第１係合部を鉤孔のロック溝に係合可能に移動またはアンロック溝に係入し、第２係合部を鉤孔の直下に移動可能にした請求項２記載のボタン錠。
【請求項６】
前記リセットブロックの一の貫通孔に前記ロックピンと平行にリセットピンを貫挿し、該リセットピンに設けた係止片のテーパ面を前記貫通孔に臨ませて設けた係合部のテ−パ面に係合可能に設け、前記リセットピンを押圧するロックピンのリセット時、前記リセットブロックを後退移動可能に設け、該リセットブロックの移動を介し、起立偏移後のロックピンの係止片の上面と前記係合凸部との係合を解除可能にした請求項１記載のボタン錠
【請求項７】
前記リセットブロックの係合凸部と前記起立偏移後のロックピンの係止片との係合を解除し、ロックピンを暗証入力時の状態に復帰可能にした請求項６記載のボタン錠。
【発明の詳細な説明】
【技術分野】
【０００１】
本発明は、例えば郵便受の錠前に好適で、部品点数を低減し、その組み付けを合理的かつ容易に行なえるとともに、小形軽量で安価かつ容易に製造でき、しかもその施解錠操作を容易かつ確実に行なえるボタン錠に関する。
【背景技術】
【０００２】
例えば郵便受の錠前として符号錠や南京錠が多用されているが、これらの錠前は安価な反面、体裁が悪く、またその施解錠操作が概して面倒で防護能力にも不安があった。
このため、近時では郵便受のカバ−にボタン錠を備え、該ボタン錠は特定の暗証情報として機能する複数の押しボタンを有し、これらの押しボタンを暗証情報に従って操作し、解錠するようにしたものがある。（例えば、特許文献１および２参照）。
【０００３】
しかし、前記錠前は、特定の押しボタンに暗証情報を設け、または押しボタンを解錠用と非解錠用に分けて使用しているため、暗証情報ないし防護能力に限界があり、また正確に施解錠できない等の問題があった。
【０００４】
このような問題を解決するボタン錠として、複数の押しボタンの内部に板状のタンブラを上下動可能に収容し、該タンブラは種々の溝を形成した異形の板体で構成され、該タンブラを暗証または非暗証時にケ−スフレ−ム内に正立または倒立状態に収容し、該タンブラをケ−スフレ−ム内に摺動可能に配置したキ−プレ−トのスリットに挿入し、押しボタンの押圧操作を介しタンブラのスリットをキ−プレ−トのスリットに係脱可能にし、その係合時にハンドル操作してキ−プレ−トを摺動し、解錠し得るようにしたものがある（例えば、特許文献３および４参照）。
【０００５】
しかし、前記ボタン錠はタンブラが異形で組み込み辛く、しかもこれを暗証の要否に応じて正立または倒立して組み込むため、組み付けが煩雑になり、また暗証情報の変更にはタンブラの前述の組み替えを要して、煩わしいという問題があった。
【０００６】
このような問題を解決するものとして、カバ−ボタンの内部にピン状のボタン本体またはクリヤ−ボタンを収容し、該ボタン本体およびクリヤ−ボタンは、金属製の軸部材の中高部に複数のストップフランジまたはカムフランジを一体に成形し、その上下のストップフランジの間にロックスプリングを掛け止め、最下位置のストップフランジまたはカムフランジを、いわゆる竹の子バネで上方に付勢したものがある（例えば、特許文献５参照）
【０００７】
しかし、前記ボタン錠は、ボタン本体およびクリヤ−ボタンは異形で製作が難しく、またボタン本体はワッシャを装着し、これにボタン座金を組み付けるとともに、リセットプレ−トのリセットノッチにロックスプリングを掛け渡し、該ロックスプリングにボタン本体を掛け止めて組み付けるため、部品点数が多く、それらの組み付けが煩雑で手間が掛かり、しかもボタン本体およびクリヤ−ボタンの構成が複雑で加工が難しい等の問題があった。
【０００８】
【特許文献１】特開２００４−６８５４６号公報
【特許文献２】特開平１１−３０３４７２号公報
【特許文献３】特公昭６２−５４９５１号公報
【特許文献４】特許第２８０３８０４号公報
【特許文献５】特許第３６４８０４３号公報
【発明の開示】
【発明が解決しようとする課題】
【０００９】
本発明はこのような問題を解決し、例えば郵便受の錠前に好適で、部品点数を低減し、その組み付けを合理的かつ容易に行なえるとともに、小形軽量で安価かつ容易に製造でき、しかもその施解錠操作を容易かつ確実に行なえるボタン錠を提供することを目的とする
【課題を解決するための手段】
【００１０】
請求項１の発明は、特定の暗証情報を保有して押圧され、かつ上方に付勢可能な一または複数のロックピンと、該ロックピンを挿通可能な一または複数の通孔を形成したロックピン押さえと、前記ロックピンと係脱可能な一または複数の鉤孔を有するロックプレ−トと、前記ロックピンを貫挿可能な一または複数の貫通孔を有し、かつ前記ロックプレ−トと同方向に移動可能なリセットブロックとを設け、前記ロックピンに前記鉤孔と係脱可能な係合部と、前記通孔の口縁部に係合可能な係止片とを設け、前記ロックプレ−トを操作レバ−の作動に連係して進退可能に設け、前記係合部と前記鉤孔との係合時、ロックプレ−トの移動を阻止して施錠可能にし、前記係合部と前記鉤孔との係合解除時、ロックプレ−トを移動して解錠可能にしたボタン錠において、前記リセットブロックの貫通孔に臨ませて係合凸部を突設し、該係合凸部にロックピンの係止片のテーパ面を係合可能に設け、暗証入力後ロックピンを押圧する解錠時、前記係止片のテーパ面と係合凸部とを係合し、前記ロックピンを係合凸部の突出方向に斜状に偏移可能に設け、前記係止片のテーパ面と係合凸部との係合解除後、前記ロックピンを起立偏移し、該起立偏移後、ロックピンの係止片の上面を前記係合凸部の下面に係合可能にし、従来のボタン座金やロックスプリングの部品を削減し、それらの煩雑な組み込みを回避して、これを容易かつ能率良く組み込め、これを安価に製作できるとともに、ロックピンの解錠作動を合理的に行い、ロックピンの解錠状態を確実かつ強固に保持し、操作レバ−による解錠を確実かつ安定して行なえるようにしている。
【００１１】
請求項２の発明は、ロックプレ−トの鉤孔に、ロックプレ−トの移動方向に形成したアンロック溝と、該アンロック溝と直交方向に形成したロック溝と、を設け、鉤孔によってロックピンのロック機能とアンロック機能を形成可能にしている。
請求項３の発明は、ロックピンの下端部を挿通する錠カバ−の凹孔に、ロックピンの斜状偏移方向に長孔を形成し、ロックピンの斜状偏移を促し、その解錠作動を合理的に行なうようにしている。
請求項４の発明は、ロックピンの上側軸部をテ−パ状に形成し、押しボタン内でのロックピンの揺動を促し、ロックピンの斜状偏移を促すようにしている。
【００１２】
請求項５の発明は、ロックピンの中間部に前記係止片と第１および第２係合部とを上下位置に設け、前記第１および第２係合部を互いに１８０°位相をずらせて配置し、前記ロックピンの暗証入力時、第１係合部を鉤孔の直上に配置し、第２係合部を鉤孔のロック溝に係合可能またはアンロック溝に係入させて配置し、前記ロックピンを押圧する解錠時、第１係合部を鉤孔のロック溝に係合可能に移動またはアンロック溝に係入し、第２係合部を鉤孔の直下に移動可能にし、ロックピンによる施錠と、その解錠を合理的かつ正確に行なうようにしている。
【００１３】
請求項６の発明は、リセットブロックの一の貫通孔に前記ロックピンと平行にリセットピンを貫挿し、該リセットピンに設けた係止片のテーパ面を前記貫通孔に臨ませて設けた係合部のテ−パ面に係合可能に設け、前記リセットピンを押圧するロックピンのリセット時、前記リセットブロックを後退移動可能に設け、該リセットブロックの移動を介し、起立偏移後のロックピンの係止片の上面と前記係合凸部との係合を解除可能にし、ロックピンの上動を促し、ロックピンのリセットを合理的に行なうようにしている。
請求項７の発明は、前記リセットブロックの係合凸部と前記起立偏移後のロックピンの係止片との係合を解除し、ロックピンを暗証入力時の状態に復帰可能にし、ロックピンの暗証入力時の状態を合理的に形成可能にしている。
【発明の効果】
【００１４】
請求項１の発明は、リセットブロックの貫通孔に臨ませて係合凸部を突設し、該係合凸部にロックピンの係止片のテーパ面を係合可能に設け、暗証入力後ロックピンを押圧する解錠時、前記係止片のテーパ面と係合凸部とを係合し、前記ロックピンを係合凸部の突出方向に斜状に偏移可能に設け、前記係止片のテーパ面と係合凸部との係合解除後、前記ロックピンを起立偏移し、該起立偏移後、ロックピンの係止片の上面を前記係合凸部の下面に係合可能にしたから、従来のボタン座金やロックスプリングの部品を削減し、それらの煩雑な組み込みを回避して、これを容易かつ能率良く組み込め、これを安価に製作できるとともに、ロックピンの解錠作動を合理的に行い、ロックピンの解錠状態を確実かつ強固に保持し、操作レバ−による解錠を確実かつ安定して行なうことができる。
【００１５】
請求項２の発明は、ロックプレ−トの鉤孔に、ロックプレ−トの移動方向に形成したアンロック溝と、該アンロック溝と直交方向に形成したロック溝と、を設けたから、鉤孔によってロックピンのロック機能とアンロック機能を形成することができる。
請求項３の発明は、ロックピンの下端部を挿通する錠カバ−の凹孔に、ロックピンの斜状偏移方向に長孔を形成したから、ロックピンの斜状偏移を促し、その解錠作動を合理的に行なうことができる。
請求項４の発明は、ロックピンの上側軸部をテ−パ状に形成したから、押しボタン内でのロックピンの揺動を促し、ロックピンの斜状偏移を促すことができる。
【００１６】
請求項５の発明は、ロックピンの中間部に前記係止片と第１および第２係合部とを上下位置に設け、前記第１および第２係合部を互いに１８０°位相をずらせて配置し、前記ロックピンの暗証入力時、第１係合部を鉤孔の直上に配置し、第２係合部を鉤孔のロック溝に係合可能またはアンロック溝に係入させて配置し、前記ロックピンを押圧する解錠時、第１係合部を鉤孔のロック溝に係合可能に移動またはアンロック溝に係入し、第２係合部を鉤孔の直下に移動可能にしたから、ロックピンによる施錠と、その解錠を合理的かつ正確に行なうことができる。
【００１７】
請求項６の発明は、リセットブロックの一の貫通孔に前記ロックピンと平行にリセットピンを貫挿し、該リセットピンに設けた係止片のテーパ面を前記貫通孔に臨ませて設けた係合部のテ−パ面に係合可能に設け、前記リセットピンを押圧するロックピンのリセット時、前記リセットブロックを後退移動可能に設け、該リセットブロックの移動を介し、起立偏移後のロックピンの係止片の上面と前記係合凸部との係合を解除可能にしたから、ロックピンの上動を促し、ロックピンのリセットを合理的に行なうことができる。
請求項７の発明は、前記リセットブロックの係合凸部と前記起立偏移後のロックピンの係止片との係合を解除し、ロックピンを暗証入力時の状態に復帰可能にしたから、ロックピンの暗証入力時の状態を合理的に形成することができる。
【発明を実施するための最良の形態】
【００１８】
以下、本発明を郵便受け錠に適用した図示の実施形態について説明すると、図１乃至図２７において１は略箱形の郵便受で、その開口部の一端に略横長矩形のカバ−プレ−ト２が回動可能に連結され、該プレ−ト２の先端部に設けた取付穴（図示略）に、郵便受け錠であるボタン錠３が、係止爪（図示略）等の適宜手段によって取り付けられている。
図中、４はカバ−プレ−ト２の上部に形成したメ−ル投入口、５はメ−ル投入口４の開閉板である。
【００１９】
前記ボタン錠３は横長の略箱形に形成され、これは略箱形の錠本体６と、該本体６の後側開口部を閉塞する錠カバ−７とを有し、前記錠本体６の前端面に複数の押しボタン８と、リセットボタン９とが上下二段に配置され、それらの基部の錠本体６の前面に暗証情報（文字、数字、記号、符号を含む）１０と、リセット表示１１であるＣとが表示されている。
実施形態では、錠本体６の平坦な前端面に７個の押しボタン８と１個のリセットボタン９が設けられ、暗証情報１０として各押しボタン８の基部周辺に１〜７の数字が用いられ、リセット表示１１としてＣのアルファベット記号が用いられている。
【００２０】
前記ボタン錠３の前面の一端部に、略板状の操作レバ−１２が押圧可能に設けられ、ボタン錠３の側端部にラッチボルト１３が出没可能に設けられている。
前記ラッチボルト１３は、前記郵便受１の側部または別設の固定枠１ａに設けた凹所（図示略）に係合可能に配置され、前記押しボタン８を暗証情報に基いて、押圧作することで、ラッチボルト１３を前記凹所から後退し、カバ−プレ−ト２を開放可能にしている。
図中、１３ａはラッチボルト１３に突設した凸部で、錠本体６の前端部と係合可能に配置され、ラッチボルト１３の突出変位を規制可能にしている。
【００２１】
前記錠本体６は合成樹脂によって略箱形に成形され、その前端面に同径の複数のボタン挿通孔１４，１５が形成され、該ボタン挿通孔１４に押しボタン８が係合可能に挿入され、ボタン挿通孔１５にリセットボタン９が係合可能に挿入されている。
図中、１６，１７はボタン挿通孔１４，１５に導通する若干大径の連通孔で、その段差部に前記ボタン８，９の段部８ａ，９ａを係合可能にしている。
【００２２】
前記錠本体６の内部に周壁で囲繞された横長の錠室１８が形成され、その相対する側壁１９，２０に側方溝２１，２２が形成され、これらに前記ラッチボルト１３と、後述するロックピンガイドブロックのテ−ルピ−スを収容している。
前記側壁１９，２０の下端面にビス孔２３とピン孔２４が形成され、前記ビス孔２３に錠カバ−７の外側からビス２５がねじ込まれ、前記ピン孔２４に錠カバ−７に突設したピン２６が挿入されている。図中、２７は錠カバ−７の四隅に設けたビス孔である。
【００２３】
前記錠室１８に上側からロックピン押さえ２８と、リセットブロック２９と、ロックプレ−ト３０と、ロックピンガイドブロック３１とが順に収容され、その最下位置に錠カバ−７が配置されている。
このうち、前記ロックピン押さえ２８は、錠室１８の横断面形状と略同形の横長矩形のステンレス鋼板で構成され、その長さ方向の両端部に各一対の舌片３２，３３が突出して形成されている。
一方の舌片３２は錠室１８の隅角部３４に位置する側壁１９の内面に係合可能に配置され、他方の舌片３３は側壁２０に形成した凹部３５に係合可能に配置されている。
【００２４】
前記舌片３２，３２の間に切欠部３６が形成され、該切欠部３６に臨ませてバネ受３７が屈曲形成され、該バネ受３７とラッチボルト１３との間にラッチスプリング３８が介挿され、該スプリング３８の弾性を介して、ラッチボルト１３を外側へ突出可能に付勢している。
【００２５】
前記ロックピン押さえ２８に複数、実施形態では８個の通孔３９が形成され、該通孔３９に特定の暗証情報を入力可能なロックピン４０と、ロックピン４０の押圧変位をキャンセルし、その暗証入力時に復帰可能なリセットピン４１とを移動可能に挿入している。
このうち、ロックピン４０は特定の暗証情報を入力されて実質的な施解錠時に使用され、リセットピン４１はロックピン４０の暗証入力時の状態回復に使用される。
【００２６】
前記リセットブロック２９は、合成樹脂によって略矩形の肉厚の格子板状に成形され、その幅は前記ロックピン押さえ２８と同幅で、その長さは前記ロックピン押さえ２８よりも短小に形成され、その板面に前記通孔３９と同数の格子状の貫通孔４２，４２ａが形成されている。
【００２７】
前記貫通孔４２は外枠４３と内枠４４，４５とで矩形に区画され、該貫通孔４２にロックピン４０が挿入可能にされ、また一の貫通孔４２ａは若干小形の矩形に形成され、該貫通孔４２ａに前記リセットピン４１を挿入可能にしている。
前記貫通孔４２ａの後側開口縁にテ−パ状の係合部４７が形成され、該テ−パ面は斜め上向きに形成されていて、該テ−パ面にリセットピン４１の係止部を係合可能に配置している。
【００２８】
前記リセットブロック２９は、その移動方向に沿う外枠４３と内枠４５の片側の内側面に、略半部長さに亘ってテ−パ状の係合凸部４６が突設され、そのテ−パ部にロックピン４０のテ−パ面７０ａ，７０ｂを係合可能に配置している。
前記係合凸部４６のテ−パ部は、リセットブロック２９の移動方向と直交方向に下向きに形成され、前記係合部４７のテ−パ面はリセットブロック２９の移動方向に下向きに形成されている。
【００２９】
前記リセットブロック２９は、その直上に配置したロックピン押さえ２８に上端面を滑動可能に配置され、かつその直下に配置したロックプレ−ト３０上に移動可能に収容されている。
前記リセットブロック２９の後端面と、前記凹部３５，３５の間に形成した凹溝４８との間にリセットブロックバネ４９が介挿され、該バネ４９の弾性を介して前方へ移動可能に付勢している。
そして、リセットブロック２９の移動時、その前端面を前記バネ受３７に当接し、前方の移動位置を規制可能にしている。
【００３０】
前記ロックプレ−ト３０は、前記ロックピン押さえ２８と略同形の横長矩形のステンレス鋼板で構成され、その後端部のリセットピン４１が移動する隅角部に切欠部５０が形成され、該切欠部５０を除く板面に、前記通孔３９の数よりも１つ少ない数の鉤孔５１が二列に配置されている。
【００３１】
前記鉤孔５１は略逆Ｌ字形状に形成され、該鉤孔５１はロックプレ−ト３０の移動方向に形成されたアンロック溝５１ａと、該アンロック溝５１ａと直交方向に形成されたロック溝５１ｂとで構成され、前記鉤孔５１の屈曲部、すなわちアンロック溝５１ａとロック溝５１ｂの交差部に、ロックピン４０の後述する係合部が係合可能に配置され、また後述するフランジが貫通可能に配置されている。
【００３２】
前記ロックプレ−ト３０の前端部の両側に一対の屈曲片５２が形成され、該屈曲片５２にリセットブロック２９の前端面を係合可能に配置している。前記屈曲片５２,５２の間にフック片５３が前方に突設され、その前端部に掛止爪５４が屈曲形成されていて、該掛止爪５４をラッチボルト１３の後述する通孔に掛け止め可能にしている。
【００３３】
前記ロックピンガイドブロック３１は合成樹脂によって、錠室１８の横断面形状と略同形の横長矩形板状に成形され、その前後端部に一対の係合脚５６，５７が突設されている
このうち、係合脚５６の前部が隅角部３４に係合し、また係合脚５７が前記凹部３５に係合して挿入され、ロックピンガイドブロック３１を定位置に保持している。
そして、係合脚５６の後端部が前記屈曲片５２に係合可能に配置され、ロックプレ−ト３０の移動を規制するとともに、係合脚５６，５６の間にラッチボルト１３を移動可能に配置している。
【００３４】
前記ロックピンガイドブロック３１に、前記貫通孔４２と同数のガイド孔５８が同位置に形成され、該ガイド孔５８は外枠５９と内枠６０，６１とで前記貫通孔４２と略同形の矩形に形成され、その一を除くガイド孔５８の内側の一側端に、各一対の仕切枠６２が形成され、各ガイド孔５８の一側端を三分割している。
【００３５】
前記仕切枠６２は適度な弾性を保有し、ロックピン４０の暗証入力時は、ロックピン４０の軸周りの回動に伴い、後述の角軸部に係合する仕切枠６２，６２をその弾性に抗して押し開き、暗証入力後はその弾性によって復元し、ロックピン４０の暗証位置を保持可能にしている。
図中、６３は前記一のガイド孔５８の一側端に形成した小形の角孔で、前記リセットピン４１を挿入可能にしている。
【００３６】
前記錠カバ−７は合成樹脂によって、その平面形状が錠本体６と略同形の横長矩形板状に成形され、その平坦な内側面に前記連通孔１６，１７と同径の凹孔６４が形成され、その一を除く凹孔６４の底部に長孔６５が側方にオフセットして形成されている。
前記長孔６５は、図１１のように錠カバ−７の長さ方向と直交方向に沿って、その一側端部にオフセットして形成され、その一の凹孔６４の底部中央に透孔６６が形成されている。
【００３７】
前記錠カバ−７の平坦な外側面に、前記長孔６５に対応して複数の凹孔６７がオフセットして形成され、該凹孔６７は前記凹孔６４より小径で、長孔６５のオフセット方向と同方向にオフセットし、それらを平面上内接して配置している。
図中、６８は錠カバ−７の内側面の前端部に突設した矩形板状の凸部で、前記側方溝２１に嵌合し、その後端部をロックピンガイドブロック３１の前端部に係合可能に配置している。
【００３８】
一方、前記押しボタン８とリセットボタン９は同形に形成され、これらは合成樹脂によって有底の中空筒状に成形され、それらの内部は先細のテ−パ状に形成され、その開口側の拡径部にボタンスプリング６９が挿入されている。
前記ボタンスプリング６９は、段部８ａ，９ａの内面と前記ロックピン押さえ２８との間に介挿され、その弾性によって押しボタン８とリセットボタン９を上方に付勢している
【００３９】
前記ロックピン４０とリセットピン４１は、亜鉛ダイカストによって互いに異形に成形され、これらの上部は押しボタン８またはリセットボタン９に係合可能に挿入され、それらの軸部が前記通孔３９および貫通孔４２に挿入されている。
このうち、前記ロックピン４０の軸部が鉤孔５１と、ガイド孔５８および長孔６４に挿入され、リセットピン４１の軸部が切欠部５０を経て角孔６３および透孔６５に挿入されている。
【００４０】
前記ロックピン４０は上下部を丸棒状に形成され、中間部を矩形断面の異形に形成されていて、その略上側半部を先細のテ−パ係合軸部４０ａに形成し、該テ−パ係合軸部４０ａを押しボタン８の内部に揺動かつ係合可能に収容している。
【００４１】
前記ロックピン４０は、中間部に上側から矩形板状の係止片７０と、側方に開口した第１切欠溝７１と、略円板状のフランジ７２と、前記第１切欠溝７１と反対側に開口した第２切欠溝７３と、角軸部７４とを形成している。
【００４２】
このうち、前記係止片７０は横長矩形板状に形成され、その長さ方向の両側面に、下向きのテ−パ面７０ａ，７０ｂが形成されていて、常時は前記通孔３９の下側開口縁に係合可能に配置されている。
前記テ−パ面７０ａ，７０ｂは前記係合凸部４６に係合可能に配置され、ロックピン４０の暗証入力前は図２１のように、テ−パ面７０ａが係合凸部４６の直上に係合可能に位置し、ロックピン４０の暗証入力後は図２３のように、テ−パ面７０ｂが係合凸部４６の直上に係合可能に位置している。
【００４３】
前記第１切欠溝７１の軸方向の溝幅は、前記リセットブロック２９の高さの略１／２に形成され、その溝奥部はロックピン４０の軸心と同位置に形成されていて、該溝７１に臨む第１係合部として、係合軸部４０ｂの横断面が横長矩形に形成されている。
前記係合軸部４０ｂの横断面の一方の軸幅Ｗ1は、他方軸幅Ｗ2より若干細幅に形成され、該軸幅Ｗ1部をアンロック溝５１ａに係入可能にし、他方の軸幅Ｗ2部をアンロック溝５１ａに係入不可能に形成している。
そして、前記係合軸部４０ｂは、ロックピン４０の暗証入力前はロック溝５１ｂの直上に位置し、ロックピン４０の暗証入力後はアンロック溝５１ａ側の直上に移動し、解錠時にはアンロック溝５１ａに係入可能に配置されている。
【００４４】
前記フランジ７２はロックピン４０の軸心と同心円の略円板状に形成され、したがって前記係合軸部４０ｂの直下にオフセットして配置され、その両側端部が係止片７０の側方に突出し、前記鉤孔５１の屈曲部を貫通移動可能にされている。
【００４５】
前記第２切欠溝７３は前記第１切欠溝７１と反対側に開口され、その軸方向の溝幅は前記第１切欠溝７１の略１／２の幅狭に形成され、かつ前記ロックプレ−ト３０の板厚よりも若干幅広に形成され、その溝奥部はロックピン４０の軸心と同位置に形成されていて、該溝７１に臨む第２係合部として、軸部４０ｃの横断面が前記係合軸部４０ｂと略同形の横長矩形に形成されている。
【００４６】
前記軸部４０ｃの横断面の一方の軸幅Ｗ3は、他方の軸幅Ｗ4より若干細幅に形成され、該軸幅Ｗ3部をアンロック溝５１ａに係入可能にし、他方の軸幅Ｗ4部をアンロック溝５１ａに係入不可能に形成している。
前記軸部４０ｃは、ロックピン４０の暗証入力前はアンロック溝５１ａ側に係入して配置され、ロックピン４０の暗証入力後はロック溝５１ｂの口縁部に係合可能に配置され、解錠時はロック溝５１ｂの直下に移動し、ロック溝５１ｂとの係合を解除可能に配置されている。
【００４７】
前記軸部４０ｃは、押しボタン８の操作前は前記鉤孔５１内に位置し、かつロックピン４０の暗証入力前は前記鉤孔５１内に位置し、ロックピン４０の暗証入力後はロック溝５１ｂに係合可能に位置し、ロックプレ−ト３０の後退を阻止するとともに、押しボタン８を押圧操作する解錠時は前記ロック溝５１ｂの直下に移動し、ロックプレ−ト３０を後退動可能にしている。
【００４８】
前記角軸部７４の横断面は横長矩形に形成され、その下端部が前記仕切枠６２の間に係合可能に挿入されていて、ロックピン４０の回動を規制している。
前記角軸部７４の下部に段部７４ａが形成され、該段部７４ａと凹孔６４の底部との間にセンタリングスプリング７５が介挿され、該スプリング７５は実施形態では円錐コイルバネで構成され、該スプリング７５の弾性を介してロックピン４０を上方へ付勢している
【００４９】
前記ロックピン４０の下部は長孔６５に挿入され、その下端部が凹孔６７に配置されていて、その下端部を長孔６５に沿って移動可能にしている。
図中、７６はロックピン４０の下端面に形成した係合溝で、ドライバ−等の用具（図示略）の先端部を挿入可能にされ、ロックピン４０の暗証入力時に軸周りに回動可能にしている。実施形態では係合溝７６を係止片７０の長さ方向の中心線と同方向に形成している
【００５０】
前記ロックピン４０は、図３のように係止片７０の長さ方向を錠本体６の前後方向と直交し、かつテ−パ面７０ａ，７０ｂを同方向へ配置して、第１切欠溝７１を上向きにして錠本体６に組み込むようにしている。
したがって、ロックピン４０の一方のテ−パ面７０ａが係合凸部４６の直上に係合可能に位置し、係止片７０が通孔３９の下側開口縁に係合している。この状況は図２１のようである。
【００５１】
一方、前記リセットピン４１は前記ロックピン４０と略同長に形成され、その上下部を丸棒状に形成し、中間部を矩形断面の異形に形成していて、その上部を押しボタン９の内部に係合可能に収容している。
前記リセットピン４１は図１５のように、中間部に上側から順に矩形板状の係止片７７と、側方に開口した切欠溝７８と、角軸部７９とを形成している。
【００５２】
このうち、係止片７７は略直角三角柱状に形成され、その側面に下向きに傾斜するテ−パ面７７ａが形成され、該テ−パ面７７ａをリセットブロック２９の係合部４７と係合可能にしている。
前記切欠溝７８の軸方向の溝幅は、前記ロックプレ−ト３０の板厚よりも若干幅広に形成され、その溝奥部はリセットピン４１の軸心と同位置に形成されていて、該溝７８に臨む軸部の横断面を横長矩形に形成している。
【００５３】
前記角軸部７９の横断面形状は略方形に形成され、該軸部７９を前記角孔６３に摺動可能に嵌合して透孔６６に挿通している。
前記角軸部７９の下部に段部７９ａが形成され、該段部７９ａと前記凹孔６４の底部との間に円錐コイルバネ７６が介挿され、その弾性を介してリセットピン４１を上方へ付勢している。
【００５４】
前記リセットピン４１は、図３のように係止片７７の長さ方向を錠本体６の前後方向と平行に配置し、かつ該係止片７７を前記ロックピン４０の係止片７０と直交に配置して錠本体６に組み込まれ、前記テ−パ面７７ａを係合部４７に係合可能に配置されている。この状況は図２２のようである。
【００５５】
前記リセットピン４１は、ロックピン４０の暗証入力前後に拘わり無く定位置に置かれ、リセットボタン９の押圧操作によって、テ−パ面７７ａをリセットブロック２９の係合部４７に係合させ、該リセットブロック２９をリセットブロックバネ４９の弾性に抗して後方へ移動可能にし、ロックピン４０の解錠操作時における係止片７０と、リセットブロック２９の係合凸部４６との係合を解除可能にしている。
前記リセットブロック２９の後方変位は、貫通孔４２の前後方向の長さの略１／２に設定され、前記ブロック２９の後退時に係合凸部４６を同動させ、該係合凸部４６とロックピン４０の係止片７０との係合を解除して、ロックピン４０を上方へ突出させ、鉤孔５１の原位置へ復帰可能にしている。
【００５６】
一方、前記操作レバ−１２は略Ｌ字形断面の合成樹脂板に成形され、その一端に連結片８０を突設し、該連結片８０を錠本体６の前面に開口したレバ−取付穴８１に差し込み、連結片８０の側部に突設した枢軸８２を、錠本体６の内部に形成した凹溝８３に回動可能に収容している。
前記レバ−取付穴８１の奥部の凹所に、合成樹脂製のレバ−押さえ８４が嵌合して収容され、該レバ−押さえ８４の切欠溝８５にラッチカム８６と一体の支軸８７を回動可能に収容している。
【００５７】
前記ラッチカム８６は合成樹脂によって略コ字形に形成され、その後部に係合軸部８８が突設され、該軸部８８を連結片８０の先端の係合部８０ａに係合可能に配置している。
すなわち、前記ラッチカム８６は、施錠時は起立してロックプレ−ト３０の屈曲片５２に係合可能に配置され、その係合軸部８８を操作レバ−１２の係合部８０ａに係合可能に配置している。
【００５８】
そして、枢軸８２を中心に操作レバ−１２を回動する解錠時、ラッチカム８６は、係合軸部８８に押し動かされて支軸８７を支点に内側へ回動し、屈曲片５２を後方へ押し動かして、ラッチボルト１３を後退可能にしている。
前記ラッチカム８６の間に、ラッチボルト１３の後端部が移動可能に収容され、該ラッチボルト１３は合成樹脂によって略船形に成形され、その後端部にバネ溝８９が形成され、該バネ溝８９とバネ受３７との間にラッチスプリング３８が介挿されていて、該スプリング３８の弾性を介してラッチボルト１３を前方へ付勢している。
【００５９】
前記ラッチカム８６に通孔９０が形成され、該通孔９０にフック片５３の掛止爪５４が掛け止められ、ラッチボルト１３の変位をロックプレ−ト３０またはリセットブロック２９の移動変位に同動可能にしている。
すなわち、ラッチボルト１３は掛止爪５４を介してロックプレ−ト３０の変位に連係し、また屈曲片５２を介してリセットブロック２９の変位に連係していて、ロックピン４０の解錠時、操作レバ−１２の解錠操作を介して後退可能にしている。
図中、９１はロックピン４０の下端部に形成した位置決めマ−クで、実施形態では係合溝７６の片側に係合溝７６と直交して形成されている。
【００６０】
このように構成したボタン錠は、錠本体６、錠カバ−７、押しボタン８，９、ラッチボルト１３、操作レバ−１２と、リセットブロック２９、ロックピンガイドブロック３１、レバ−押さえ８４、ラッチカム８６等を合成樹脂で成形し、これらを軽量かつ安価で均一に製作している。
また、ロックピン押さえ２８とロックプレ−ト３０は、ステンレス鋼板をプレス成形して均一に製作し、ロックピン４０とリセットピン４１を亜鉛合金ダイカストで均一に成形している。
【００６１】
したがって、従来のボタン錠に比べ軽量化を図れるとともに、ロックピンに組み込むボタン座金やワッシャ−、ロックピンを掛け止めるロックスプリングを要しないから、それだけ部品点数が低減し、その組み込みの手間が軽減して、これを容易かつ安価に製作できる。
【００６２】
次に、前記ボタン錠を組み立てる場合は、錠本体６の上下位置を反転し、つまり錠本体６の上面を下向きにして、作業台（図示略）に安定して支持し、かつその際、錠本体６の上面を作業台から若干浮かせて支持し、該錠本体６の内部に各部品を順次収容して組み付ける。
【００６３】
この状況は図３，４のようで、先ず錠本体６の外側から操作レバ−１２の連結片８０をレバ−取付穴８１に挿入し、前記レバ−１２の枢軸８２を凹溝８３に掛け止め、該凹溝８３に臨む凹所に、レバ−押さえ８４を嵌合して取り付ける。
そして、レバ−押さえ８４の切欠溝８５にラッチカム８６の支軸８７を収容し、該ラッチカム８６の間にラッチボルト１３の後端部を係入し、該ラッチボルト１３の平坦な外側面を側方溝２１上に収容する。
【００６４】
この後、錠本体６の内側から押しボタン８とリセットボタン９を連通孔１６，１７に挿入し、その操作側の端部をボタン挿通孔１４，１５から突出し、該ボタン８，９の内部にボタンスプリング６９を挿入する。
次に、錠本体６の錠室１８の底部にロックピン押さえ２８を収容し、そのバネ受け３７をラッチボルト１３のバネ溝８９に対向配置し、それらの間にラッチスプリング３８を介挿し、該スプリング３８の弾性を介してラッチボルト１３を外側へ付勢する。
その際、ラッチボルト１３の凸部１３ａを側方溝２１の周壁に係合し、ラッチボルト１３の突出を阻止する。
【００６５】
この後、ロックピン押さえ２８の通孔３９にロックピン４０とリセットピン４１を挿入する。このうち、後部の一の通孔３９を除く通孔３９に、ロ  ックピン４０の上側のテ−パ軸部４０ａを挿入し、該係合軸部４０ａをボタンスプリング６９に挿入し、押しボタン８の内部に挿入する。
その際、各ロックピン４０は位置決めマ−ク９１をラッチボルト１３側に向けて組み付け、各係止片７０をロックピン押さえ２８の長さ方向と直交配置し、かつその一方のテ−パ面７０ｂを上側に位置付け、他方のテ−パ面７７ａを下側に位置付ける。
【００６６】
また、リセットピン４１は係止片７７をロックピン押さえ２８の長さ方  向と直交配置し、かつそのテ−パ面７７ａを後方に向けて配置し、その上側軸部をボタンスプリング６９に挿入し、リセットボタン９の内部に挿入する。
前記ロックピン４０とリセットピン４１は、それらの係止片７０，７７  を通孔３９の口縁部に係合し、それらの挿入長さを規制される。
【００６７】
そして、前記ロックピン４０とリセットピン４１の上方からリセットブ  ロック２９を挿入し、その貫通孔４２にロックピン４０を貫挿し、貫通孔４２ａにリセットピン４１を貫挿し、リセットブロック２９の後端部と、錠本体６の側壁２０との間にリセットブロックバネ４９を介挿し、該バネ４９の弾性を介して前記ブロック２９を前方へ付勢し、前記ブロック２９の前端部をロックピン押さえ２８のバネ受け３７に当接する。
【００６８】
このようにすると、ロックピン４０のテ−パ面７０ａの直上にリセットブロック２９の係合部４６が係合可能に位置し、リセットピン４１のテ−パ面７７ａの直上にリセットブロック２９の係合部４７が係合可能に位置する。
この後、前記ロックピン４０とリセットピン４１の上方からロックプレ  −ト３０を挿入し、その鉤孔５１とロック溝５１ｂの交差部にロックピン４０の角軸部７４を位置付け、また切欠部５０にリセットピン４１の角軸部７９を位置付け、その掛止爪５４をラッチボルト１３の通孔９０に掛け止める。
したがって、ロックプレ−ト３０の移動方向に沿う鉤孔５１にロックピン４０の軸部４０ｃが位置する。
【００６９】
この後、ロックプレ−ト３０の上方からロックピンガイドブロック３１を挿入し、その前端部の係合脚５６，５６を錠室１８の隅角部３４に係合し、後端部の係合脚５７を側方溝２２の間に嵌合し、前記ガイドブロック３１の下面を錠本体６の下端面に面一に組み付ける。
その際、ロックピン４０とリセットピン４１をガイド孔５８に挿入し、ロックピン４０の角軸部７４を仕切枠６２，６２の間に挿入し、該ピン４０の下端部を突出する一方、リセットピン４１の角軸部７９を角孔６３に挿入し、該ピン４１の下端部を突出する。
【００７０】
この後、ロックピン４０とリセットピン４１の前記突出部にセンタリングスプリング７５を挿入し、これらの上方から錠カバ−７をロックピンガイドブロック３１の下面に重合し、前記ピン４０，４１の前記突出部を凹孔６４に挿入し、ロックピン４０の下端部を長孔６５に貫挿し、リセットピン４１の下端部を透孔６６に貫挿する。
【００７１】
そして、錠カバ−７の内面の段部をロックピンガイドブロック３１の段部に係合し、錠カバ−７の凸部６８を錠本体６の側方溝２１に嵌合し、これらを位置決めするとともに、錠カバ−７のピン２６を錠本体６のピン孔２４に挿入し、更に錠カバ−７のビス孔２７を錠本体６のビス孔２３に位置合わせし、これらにビス２５をねじ込んで、錠本体６と錠カバ−７を連結する。
【００７２】
このように本発明のボタン錠の組み付けは、図３，４のように錠本体６の内部を上向きに安定して保持し、これに各部品を順次組み付ければ良いから、これを容易かつ能率良く、しかも正確に組み付けられ、従来のようにリセットプレ−トの各ピンに予め複数のロックスプリングを掛け止める煩雑な作業を要しない。
【００７３】
こうして組み付けたボタン錠３は図２のように略横長の箱形に構成され、その前面に暗証情報を入力する７個の押しボタン８と、ロックピン４０の押圧変位をキャンセルし、その暗証入力状態に復帰させる、１個のリセットボタン９とが上下に二列に配置され、かつそれらが前方に同高に突出している。
そして、このボタン群に近接して操作レバ−１２が前面に略Ｌ字形に表出し、錠本体６の一側端部にラッチボルト１３が出没可能に配置され、後方に錠カバ−７が突出している
また、錠カバ−７の下面の透孔６６と凹孔６７に、リセットピン４１の下端面とロックピン４０の下端面が表出し、該ロックピン４０の下端面に係合溝７６と、位置決めマ−ク９１が表出していて、各位置決めマ−ク９１が前向き、すなわちラッチボルト１３側に配置されている。
【００７４】
前記ボタン錠３の組み付け時は、ロックピン押さえ２８は、前後の両端部を錠室１８の側壁１９，２０に係合して固定され、その通孔３９を貫通するロックピン４０とリセットピン４１を定位置で摺動可能に支持している。
また、リセットブロック２９はリセットブロックバネ４９によって前方へ付勢され、その前端部をロックプレ−ト３０の屈曲片５２に係合して、ロックプレ−ト３０を同方向へ付勢するとともに、前記ブロック２９の前端部をロックピン押さえ２８のバネ受３７に係合し、その前方への移動変位を規制されている。
【００７５】
更に、前記ロックプレ−ト３０は前記リセットブロックバネ４９によって、リセットブロック２９と一緒に前方へ付勢され、その掛止片５４をラッチボルト１３に掛け止め、バネ受け３７とバネ溝８９に介挿したラッチスプリング３８によって、ラッチボルト１３を前方へ付勢している。
また、ロックピンガイドブロック３１は、その前後端部を錠室１８の側壁１９，２０に係合して固定されている。
【００７６】
一方、ロックピン４０は、その下端部に配置したセンタリングスプリング７５によって上方へ付勢され、その係止片７０を通孔３９の下側口縁部に係合して上動を規制され、その上側のテ−パ軸部４０ａが押しボタン８の内部に挿入している。
前記押しボタン８は、ボタンスプリング６９によって上方へ付勢されて、錠本体６の上面に突出し、該押しボタン８の内部に前記ロックピン４０の上端部が係合可能に位置している。
【００７７】
前記ロックピン４０は、暗証入力前は図１６，２１のように、リセットブロック２９の各貫通孔４２内において後部側に位置し、係止片７０の一方のテ−パ面７０ａが、前記ブロック２９に突設した係合凸部４６の直上に係合可能に位置し、その第１切欠溝７１が、貫通孔４２内に位置して係合凸部４６と対向し、その係合軸部４０ｂがロック溝５１ｂの直上に位置している。
【００７８】
また、ロックピン４０の第２切欠溝７３がロック溝５１ａと同高位置に配置され、その軸部４０ｃがアンロック溝５１ａ側に係入して配置されている。この状況は図１６、１９、２１のようである。
したがって、ロックプレ−ト３０がアンロック溝５１ａに沿って移動（後退）可能になり、この後操作レバ−１２を操作することによって、ボタン錠３が解錠可能になる。
【００７９】
すなわち、ボタン錠３の施錠時は、ラッチスプリング３８によってラッチボルト３８が前方へ突出し、該ラッチボルト３８が郵便受１に付設した固定枠１ａの凹所（図示略）に係合している。この状況は図２６のようである。
このような施錠時は、リセットブロック２９がリセットブロックバネ４９によって前方へ付勢され、該ブロック２９の前端部が屈曲片５２に係合して、ロックプレ−ト３０を前方へ付勢し、その屈曲片５２をラッチカム８６に係合させている。
したがって、ラッチカム８６が支軸８７を中心に図２６上反時計方向へ回動可能に付勢され、その係合軸部８８を同方向へ付勢して、操作レバ−１２と一体の係合部８０ａに係合し、該レバ−１２の解錠操作を阻止して施錠状態を維持している。
【００８０】
このような施錠時に後述の操作によって、ロックプレ−ト３０が後退可能になり、操作レバ−１２を枢軸８２を支点に図２６上反時計方向へ引き回すと、係合部８０ａが同方向へ回動し、係合軸部８８が押し動かされる。
このため、ラッチカム８６が支軸８７を中心に図２６上時計方向へ回動し、リセットブロックバネ４９に抗してリセットブロック２９が押し動かされ、これに屈曲片５２が同動してロックプレ−ト３０が後退する。
【００８１】
この結果、掛止爪５４によってラッチボルト１３が引き動かされ、該ラッチボルト１３がラッチスプリング３８に抗して後退し、前記凹所（図示略）から離脱する。
したがって、この後カバ−プレ−ト２を引き回わして開放すれば、内部の郵便物を取り出せる。
【００８２】
一方、リセットピン４１は、前記組み付け時は、下端部に配置したセンタリングスプリング７５によって上方へ付勢され、その係止片７７を通孔３９の下側口縁部に係合して上動を規制され、その上側の軸部をリセットボタン９の内部に挿入している。
また、リセットピン４１のテ−パ面７７ａは、常時はリセットブロック２９の係合部４７のテ−パ面に係合している。この状況は図２２のようである。
【００８３】
こうして組み付けたボタン錠３を使用する場合は、例えばボタン錠３に暗証情報を入力し、これを郵便受１のカバ−プレ−ト２に取り付ける。
先ず、ボタン錠３に暗証情報を入力する場合は、一または複数のロックピン４０に所望の暗証情報を入力する。実施形態では７本のロックピン４０に暗証情報として、１〜７の暗証番号を入力することができ、その暗証番号は当該ロックピン４０を挿入するボタン挿通孔１４の周辺前面に表示している。
【００８４】
例えば、暗証情報１０の「１」〜「３」に対応する３本のロックピン４０に暗証入力すると、その暗証番号は「１２３」であり、「１」、「３」、「５」、「７」に対応する４本のロックピン４０に暗証入力すると、その暗証番号は「１３５７」の４桁の暗証番号となり、暗証入力しないロックピン４０は暗証番号を有しない。
したがって、１本のロックピン４０にのみ暗証入力した場合は、１桁の暗証番号となり、全てのロックピン４０に暗証入力した場合は、「１２３４５６７」の７桁の暗証情報となり、その防護能力が飛躍的に増大する。
【００８５】
そこで、実際にロックピン４０に暗証入力する場合は、係合溝７６に係合可能な係合部を有するマイナスドライバ−等の用具を用意し、その係合部を所望の暗証番号を構成するロックピン４０の係合溝７６に係合し、これを１８０°回動する。
すなわち、前記用具を軸周りに回動し、暗証番号に対応するロックピン４０を軸周りに同動させ、前記ロックピン４０の角軸部７４の両側に位置する仕切枠６２，６２を、その弾性に抗して押し広げ、ロックピン４０を１８０°回動後、前記仕切枠６２，６２は弾性によって復元し、角軸部７４の両側面に係合して暗証位置を保持する。
【００８６】
こうしてロックピン４０に暗証入力すると、該ピン４０の１８０°回動によって、下端部の位置決めマ−ク９１が前方から後方へ向きを変え、この状況が錠カバ−７の下面の凹孔６４から確認し得る。したがって、前記位置決めマ−ク９１の向きによって、暗証入力の有無や入れ間違いを容易に確認し得る。
この場合、暗証入力を入れ間違えたときは、当該ロックピン４０を１８０°回動し、これを組み付け時の原状に戻した後、暗証入力する所定のロックピン４０を１８０°回動して対応する。
【００８７】
実施形態では、暗証情報１０の「１」、「３」、「４」、「５」、「７」に対応する５本のロックピン４０に個々に暗証入力し、５桁の暗証番号「１３４５７」を設定している
この場合、ロックピン４０に対する暗証入力の順序はランダムで良く、したがって暗証入力を容易かつ円滑に行なえる。この暗証入力状況は図１７、図２０および図２２のようである。
【００８８】
前記暗証入力した各ロックピン４０は、係止片７０の一方のテ−パ面７０ｂが、リセットブロック２９の係合凸部４６の直上に位置し、係合軸部４０ｂがアンロック溝５１ａ側の直上に移動し、その反対側の軸部４０ｃがロック溝５１ｂに係入する。
一方、暗証入力しない暗証情報１０が「２」と「６」のロックピン４０は、前記暗証入力前の状態を維持し、それらの係止片７０の一方のテ−パ面７０ａが、リセットブロック２９の係合凸部４６の直上に位置し、係合軸部４０ｂがロック溝５１ｂの直上に位置し、その反対側の軸部４０ｃがアンロック溝５１ａ側に係入している。
【００８９】
このような暗証入力時は、軸部４０ｃがロック溝５１ｂの口縁部に係合可能に位置し、ロックプレ−ト３０の後退を阻止するから、ラッチボルト１３の後退が阻止され、その施錠状態を維持する。
また、前記暗証入力時、ロックピン４０の回動角度の過不足は、前記位置決めマ−ク９１の向き、錠カバ−７の前後方向と平行か否かで容易に確認し得、その過不足をロックピン４０を回動調整で修正する。
【００９０】
こうして、所定のロックピン４０に暗証入力し所定の暗証番号を設定後、このボタン錠３をカバ−プレ−ト２の端部に適宜手段で取り付ける。
この状況は図１のようで、ラッチボルト１３がカバ−プレ−ト２の側端部に突出状態で取り付けられる。
【００９１】
この後、カバ−プレ−ト２を閉扉すると、ラッチボルト１３が固定枠１ａの側端部に係合し、ラッチスプリング３８が押し縮められて、凹所（図示略）に係入する。
このため、ラッチボルト１３がラッチスプリング３８によって突出し、前記凹所の口縁部に係合して施錠状態が形成され、ボタン錠３の使用状態が形成される。
【００９２】
この場合、カバ−プレ−ト２の閉扉によって、ラッチボルト１３が後退し突出するが、前述のように暗証入力後は、前記５本のロックピン４０の軸部４ｃがロック溝５１ｂに係合可能に位置し、ロックプレ−ト３０の前後動を阻止し、したがってリセットブロック２９の前後動を阻止するため、前記暗証状態は変質することなく維持される。
したがって、前述のようなロックプレ−ト３０の閉扉によるラッチボルト１３の後退および突出変位は、ラッチスプリング３８の伸縮変位によって形成され、操作レバ−６２およびラッチカム８６は作動せず、施錠状態と同様な状態を維持する。
【００９３】
このようなボタン錠３の施錠時に、郵便受１に投入された郵便物を取り出す場合は、前記暗証入力した暗証番号「１３４５７」に対応する５本のロックピン４０の押しボタン８を、ロックプレ−ト３０の外側から押圧操作して解錠する。
暗証入力後の各押しボタン８は図２３（ａ）のようで、該押しボタン８を押圧すると、ボタンスプリング６９の弾性に抗して押しボタン８が押し下げられ、該ボタン８に上端部を係合したロックピン４０が、センタリングスプリング７５に抗して押し下げられる。
【００９４】
その際、ロックピン４０は、一方のテ−パ面７０ｂがリセットブロック２９の係合凸部４６に係合し、そのテ−パ面に沿って移動して、その下動方向を係合凸部４６の突出方向に偏移する。
すなわち、ロックピン４０は、その中間部を係合部４６の突出方向に偏移され、その軸心をリセットブロック２９の長さ方向と直交方向へ斜状に偏移する。
【００９５】
この状況は図２３（ｂ）のようで、ロックピン４０の上側の軸部が押しボタン８の内部を側方へ移動し、下側の角軸部７４が仕切枠６２，６２に沿って上側軸部と反対方向へ移動し、下端部がセンタリングスプリング７５を側方へ押し寄せ、かつ押し縮めて長孔６５に沿って移動する。
【００９６】
そして、前記テ−パ面７０ｂが係合凸部４６のテ−パ面の直下に移動し、係止片７０の上面が係合凸部４６の下面に係合すると、センタリングスプリング７５の弾性によって、ロックピン４０の下端部が凹孔６４の中央へ引き戻され、その姿勢を起立する。
そして、前記スプリング７５の弾性によってロックピン４０を上方へ付勢し、前記係止片７０の上面と係合凸部４６の下面との係合状態を維持する。
【００９７】
この状況は図１８および図２３（ｃ）のようで、第１切欠溝７１がロック溝５１ｂの直上からロック溝５１ｂに係入し、隣接する係合軸部４０ｂがアンロック溝５１ａの直上からアンロック溝５１ａ内に係入する。
また、第２切欠溝７３がロック溝５１ｂの位置からアンロック溝５１ａの直下に移動し、隣接する軸部４０ｃがロック溝５１ｂからロック溝５１ｂの直下に移動する。
【００９８】
一方、暗証入力していない暗証番号「２」、「６」に対応する２本のロックピン４０は、押しボタン８によって押圧されることなく、暗証入力前と同位置を維持し、第１切欠溝７１と係合軸部４０ｂが鉤孔５１の直上に位置し、第２切欠溝７３がロック溝５１ｂに開口し、軸部４０ｃがアンロック溝５１ａ側に係入している。
【００９９】
こうして、ロックプレ−ト３０のアンロック溝５１ａに、すべてのロックピン４０の係合軸部４０ｂまたは４０ｃが係入すると、押しボタン８による実質的な解錠操作が終了し、ロックプレ−ト３０が後退可能になる。この状況は図２４のようである。
【０１００】
そこで、この後、操作レバ−１２を枢軸８２を支点に図２６上反時計方向へ引き回すと、係合部８０ａが同方向へ回動し、ラッチカム８６の係合軸部８８を押し動かす。
このため、ラッチカム８６が支軸８７を支点に図２６上時計方向へ回動し、該カム８６と係合する屈曲片５２を介して、リセットブロック２９がリセットブロックバネ４９に抗して後方へ押し動かされ、これにロックプレ−ト３０が同動して後退する。
【０１０１】
この結果、ロックプレ−ト３０に形成した掛止爪５４によって、ラッチボルト１３が引き動かされ、該ラッチボルト１３がラッチスプリング３８に抗して後退し、固定枠１ａの凹所（図示略）から離脱する。
したがって、この後カバ−プレ−ト２を引き回わして開放すれば、内部の郵便物を取り出せる。
【０１０２】
一方、前記解錠時に誤って暗証入力していないロックピン４０、実施形態では暗証番号「２」、「６」に対応する１または２本のロックピン４０を、押しボタン８を介して押圧すると、係止片７０の一方のテ−パ面７０ａが係合凸部４６と係合し、前記ロックピン４０が斜状に偏移する。
そして、前記押圧後、ロックピン４０がセンタリングスプリング７５によって上方へ移動する際、テ−パ面７０ａと同側の係止片７０が係合部４６と係合し、その係合状態を維持する。
【０１０３】
このため、第１切欠溝７１がアンロック溝５１ａ側に開口し、隣接する係合軸部４０ｂがロック溝５１ｂに係入し、該係合軸部４０ｂがロック溝５１ｂの開口縁と係合して、ロックプレ−ト３０が後退不能になり、前述した解錠状態が消失する。
そこで、前記解錠障害を除去し解錠状態を回復する場合は、リセットボタン９をボタンスプリング６９に抗して押圧操作し、リセットピン４１をセンタリングスプリング７５に抗して押し下げる。
【０１０４】
このようにすると、リセットピン４１の係止片７７が、リセットブロック２９の係合部４７と係合し、該ブロック２９がリセットブロックバネ４９の弾性に抗して後方へ押し動かされ、前記係合凸部４６がテ−パ面７０ａと同側の係止片７０から離間して、係止片７０との係合を解除する。この状況は図２５のようである。
【０１０５】
この結果、すべてのロックピン４０がセンタリングスプリング７５によって上方へ移動する。このうち、暗証入力したロックピン４０は、係止片７０が通孔３９の下側開口縁部と係合し、その上動を阻止される。
一方、第１切欠溝７１と係合軸部４０ｂが鉤孔５１の直上に移動し、第２切欠溝７３がアンロック溝５１ａに開口し、軸部４０ｃがロック溝５１ｂに係入し、図２３（ａ）に示す暗証入力直後の状態と略同様な状態を形成する。この状況は図２３（ｄ）のようである
【０１０６】
また、暗証入力しなかったロックピン４０は、係止片７０が通孔３９の下側開口縁部と係合し、その上動を阻止される。
一方、第１切欠溝７１と係合軸部４０ｂが鉤孔５１の直上に移動し、第２切欠溝７３がロック溝５１ｂに開口し、軸部４０ｃがアンロック溝５１ａに係入し、図２１に示す状態と略同様な状態を形成する。
【０１０７】
この後、リセットボタン９の押圧操作を解除し、リセットボタン９を押し上げるとともに、リセットピン４１をセンタリングスプリング７５によって押し上げ、それらの原状を回復する。
このようにすると、リセットピン４１の係止片７７が通孔３９の下側開口縁部に係合し、その上動を阻止され、一方、リセットブロック２９がリセットブロックバネ４９の弾性によって前方へ移動し、原位置を回復する。
【０１０８】
このため、前記係合部４６がテ−パ面７０ａまたは７０ｂの直下に係合可能に移動し、図２１または図２３（ａ）と同様な状態を回復する。
このようにして、前記解錠障害を除去しロックプレ−ト３０の解錠状態を回復後、前記暗証入力したロックピン４０の押しボタン８を押圧し、当該ロックピン４０を押し下げて解錠操作を再度行なう。
このように本発明は、リセットピン４１を押し下げることで、前記解錠障害を容易に除去できる。
【０１０９】
このような解錠障害は、前述のように解錠時に暗証入力していないロックピン４０を誤って押圧操作する他に、例えば郵便物の投入時に、郵便物を押しボタン８に接触させ、暗証入力していないロックピン４０を押し下げても、同様な解錠障害を生ずる。
したがって、解錠時には解錠障害の有無に関係無く、暗証入力したロックピン４０の押圧操作前にリセットピン４１を押し下げ、前記解錠障害を事前に除去することが望ましい
【０１１０】
なお、ボタン錠３をカバ−プレ−ト２に取り付け後、暗証番号を変更する場合は、例えばカバ−プレ−ト２を開放し、その内面にロックピン４０の位置決めマ−ク９１を表出し、該マ−ク９１を基にロックピン４０の暗証入力の有無を確認し、暗証入力したロックピン４０の係合溝７６に前述の用具の係合部を係合し、これを軸周りに１８０°回動して、ロックピン４０の暗証入力を削除し、既存の暗証番号を削除する。
その後、新設の暗証番号を基に、暗証入力するロックピン４０の係合溝７６に前述の用具の係合部を係合し、これを軸周りに１８０°回動して新規に暗証入力し、新設の暗証番号を設定する。
このようにして暗証番号を容易に変更でき、その防護能力を向上できる。
【産業上の利用可能性】
【０１１１】
このように本発明のボタン錠は、部品点数を低減し、その組み付けを合理的かつ容易に行なえるとともに、小形軽量で安価かつ容易に製造でき、しかもその施解錠操作を容易かつ確実に行なえるから、例えば郵便受の錠前に好適である。
【図面の簡単な説明】
【０１１２】
【図１】本発明を適用した郵便受を示す斜視図である。
【図２】本発明のボタン錠を拡大して示す斜視図である。
【図３】本発明のボタン錠の要部を分解して示す斜視図で、前面から見た状況を示している。
【図４】本発明のボタン錠の要部を分解して示す斜視図で、背面から見た状況を組み立て順に示している。
【図５】図３のＡ−Ａ線に沿う錠本体の拡大断面図である。
【０１１３】
【図６】図３のＢ−Ｂ線に沿う錠本体の拡大断面図である。
【図７】図３のＣ−Ｃ線に沿うリセットブロックの断面図である。
【図８】図３のＤ−Ｄ線に沿うリセットブロックの断面図である。
【図９】本発明のボタン錠に適用したロックピンガイドブロックの平面図である。
【図１０】図９のＥ−Ｅ線に沿う断面図で、錠カバ−とロックピン、およびリセットピンとの組み付け状況を示している。
【０１１４】
【図１１】本発明のボタン錠に適用した錠カバ−の平面図である。
【図１２】図１１のＦ−Ｆ線に断面図である。
【図１３】本発明のボタン錠の要部を分解して示す断面図ないし正面図で、それらの組み立て順に示している。
【図１４】本発明のボタン錠に適用したロックピンを示し、同図（ａ）はその正面図、同図（ｂ）はその平面図、同図（ｃ）は同図（ａ）のＧ−Ｇ線に沿う断面図、同図（ｄ）は同図（ａ）のＨ−Ｈ線に沿う断面図、同図（ｅ）は同図（ａ）のＩ−Ｉ線に沿う断面図である。
【図１５】本発明のボタン錠に適用したリセットピンを示し、同図（ａ）はその正面図、同図（ｂ）はその平面図、同図（ｃ）は同図（ａ）のＪ−Ｊ線に沿う断面図、同図（ｄ）は同図（ａ）のＫ−Ｋ線に沿う断面図、同図（ｅ）は同図（ａ）のＬ−Ｌ線に沿う断面図である。
【０１１５】
【図１６】本発明に適用したロックプレ−トの平面図と、ロックピンの暗証入力前の状況を示す断面図である。
【図１７】本発明に適用したロックプレ−トの平面図と、ロックピンの暗証入力後の状況を示す断面図である。
【図１８】本発明に適用したロックプレ−トの平面図と、ロックピンの解錠途中の状況を示す断面図である。
【図１９】本発明に適用したロックプレ−トとリセットブロックの平面図と、ロックピンの暗証入力前の状況を示す断面図である。
【図２０】本発明に適用したロックプレ−トとリセットブロックの平面図と、ロックピンの暗証入力後の状況を示す断面図である。
【０１１６】
【図２１】図１９のＭ−Ｍ線に沿う拡大断面図である。
【図２２】図１９のＮ−Ｎ線に沿う拡大断面図である。
【図２３】図２０のＯ−Ｏ線に沿う拡大断面図で、本発明に適用したロックピンの暗証入力後の解錠状態を順に示し、同図（ａ）はロックピンの暗証入力直後のを示し、同図（ｂ）はロックピンを押圧した解錠操作直後、ロックピンが斜状に偏移している状況を示し、同図（ｃ）はロックピンの係止片とリセットブロックの係合部との係合解除後、センタリングされて起立した状況を示し、同図（ｄ）はリセットピンを操作し、リセットブロックを移動してロックピンをリセットした状況を示している。
【図２４】本発明に適用したロックプレ−トの平面図とリセットブロックの平面図と、ロックピンの解錠時の状況を示す断面図である。
【図２５】本発明に適用したロックプレ−トとリセットブロックの平面図、およびリセットピンを操作し、リセットブロックを移動してロックピンをリセットした直後の状況を示している。
【０１１７】
【図２６】本発明のボタン錠の施錠状態と、操作レバ−の組み立て状態を示す断面図である。
【図２７】本発明のボタン錠の解錠状態と、操作レバ−の作動状態を示す断面図である。
【符号の説明】
【０１１８】
３          ボタン錠
７          錠カバ−
１２          操作レバ−
２８          ロックピン押さえ
２９          リセットブロック
【０１１９】
３０          ロックプレ−ト
３９          通孔
４０          ロックピン
４０ｂ        第１係合部（係合軸部）
４０ｃ        第２係合部（係合軸部）
【０１２０】
４１          リセットピン
４２          管通孔
４６          係合凸部
４７          係合部
５１          鉤孔
５１ａ アンロック溝
５１ｂ ロック溝
【０１２１】
６４          凹孔
６５          長孔
７０          係止片
７７          係止部
【図１】
0005319104.tif 000002
【図２】
0005319104.tif 000003
【図３】
0005319104.tif 000004
【図４】
0005319104.tif 000005
【図５】
0005319104.tif 000006
【図６】
0005319104.tif 000007
【図７】
0005319104.tif 000008
【図８】
0005319104.tif 000009
【図９】
0005319104.tif 000010
【図１０】
0005319104.tif 000011
【図１１】
0005319104.tif 000012
【図１２】
0005319104.tif 000013
【図１３】
0005319104.tif 000014
【図１４】
0005319104.tif 000015
【図１５】
0005319104.tif 000016
【図１６】
0005319104.tif 000017
【図１７】
0005319104.tif 000018
【図１８】
0005319104.tif 000019
【図１９】
0005319104.tif 000020
【図２０】
0005319104.tif 000021
【図２１】
0005319104.tif 000022
【図２２】
0005319104.tif 000023
【図２３】
0005319104.tif 000024
【図２４】
0005319104.tif 000025
【図２５】
0005319104.tif 000026
【図２６】
0005319104.tif 000027
【図２７】
0005319104.tif 000028